(57)【要約】      （修正有）【課題】保温性を高めて足湯効果が得られると共に、室内での活動時においては姿勢矯正効果が得られ、しかも、マッサージ効果が得られて足の浮腫みや疲れ、だるさ等を解消できるようにした足用装着具を提供する。【解決手段】足裏を支える足底部１と、足底部１の周縁から立ち上がり、少なくとも足の爪先部、甲部及び踵部を覆うと共に、上方が開放された履き口４を形成したアッパー部２とから成る本体３を備え、足首から下に装着される足用装着具であって、本体３のアッパー部２は、全体が二重壁構造に形成されて第１空間を有すると共に、当該第１空間に保温性を有する極小のビーズが充填されている。【選択図】図１
0003200664.tif 000002
【実用新案登録請求の範囲】
【請求項１】
足裏を支える足底部と、前記足底部の周縁から立ち上がり、少なくとも足の爪先部、甲部及び踵部を覆うと共に、上方が開放された履き口を形成したアッパー部とから成る本体を備え、足首から下に装着される足用装着具であって、前記本体のアッパー部は、全体が二重壁構造に形成されて第１空間を有すると共に、当該第１空間に保温性を有する極小のビーズが充填されていることを特徴とする足用装着具。
【請求項２】
前記アッパー部の第１空間は、アッパー部に施したステッチにより複数に区分けされていると共に、区分けされた各空間が連通していることを特徴とする請求項１に記載の足用装着具。
【請求項３】
前記アッパー部の両側面部に、踝側から爪先側にかけて紐部材を配設し、前記紐部材は、アッパー部の爪先側に位置する先端部がアッパー部に固定されていると共に、踝側に位置する基端部を引っ張れるようになっており、紐部材の基端部を引っ張ることによって、アッパー部及び足底部の爪先部を床面から浮かせるようにしたことを特徴とする請求項１又は請求項２に記載の足用装着具。
【請求項４】
前記アッパー部の両側面部に、踝側から爪先側にかけてステッチを平行状に施して筒状空間を形成し、当該筒状空間に紐部材を通したことを特徴とする請求項３に記載の足用装着具。
【請求項５】
前記紐部材は、ゴム紐から形成されており、紐部材の基端部には、紐部材の締め付け具合を調節するストッパー部材が取り付けられていることを特徴とする請求項３又は請求項４に記載の足用装着具。
【請求項６】
前記極小のビーズは、直径が０．５ｍｍ〜１．０ｍｍの発泡ポリスチレンから成ることを特徴とする請求項１に記載の足用装着具。
【請求項７】
前記アッパー部は、伸縮性のある生地により形成されていることを特徴とする請求項１、請求項２、請求項３又は請求項４に記載の足用装着具。
【請求項８】
前記アッパー部は、ポリウレタン繊維及びポリエステル繊維から成るストレッチニット生地から形成されていることを特徴とする請求項７に記載の足用装着具。
【請求項９】
前記アッパー部の履き口の周縁部に、履き口の口径を変化させる締め付け用紐部材を配設したことを特徴とする請求項１に記載の足用装着具。
【請求項１０】
前記アッパー部の履き口の周縁部に、ステッチを平行状に施して筒状空間を形成し、当該筒状空間に締め付け用紐部材を通したことを特徴とする請求項９に記載の足用装着具。
【請求項１１】
前記締め付け用紐部材は、ゴム紐から形成されており、締め付け用紐部材の基端部には、締め付け用紐部材の締め付け具合を調節するストッパー部材が取り付けられていることを特徴とする請求項９又は請求項１０に記載の足用装着具。
【請求項１２】
前記アッパー部の爪先部から履き口にかけて開閉自在なファスナーを設け、アッパー部を履き口から爪先にかけて開閉自在としたこと特徴とする請求項１、請求項２、請求項３、請求項４、請求項７、請求項８、請求項９又は請求項１０に記載の足用装着具。
【請求項１３】
前記足底部の底面に、滑り止め部材を取り付けたことを特徴とする請求項１に記載の足用装着具。
【請求項１４】
前記足用装着具は、足底部の上面に敷かれる交換可能な中敷きを更に備え、前記中敷きは、表生地及び裏生地の外周縁部同士を縫着して形成した第２空間を有し、当該第２空間に少なくとも保温性を有する極小のビーズが充填されていることを特徴とする請求項１に記載の足用装着具。
【請求項１５】
前記中敷きの第２空間に、保温性を有する極小のビーズの他に低反発素材から成るクッション材が充填されており、第２空間の足裏の土踏まず当たる部分に極小のビーズを充填し、第２空間のその他の部分に低反発素材から成るクッション材を充填したことを特徴とする請求項１４に記載の足用装着具。
【請求項１６】
前記中敷きの第２空間の足裏の土踏まず当たる部分に充填される極小のビーズは、小袋に充填されており、当該小袋を第２空間の足裏の土踏まずに当たる部分に収容したことを特徴とする請求項１５に記載の足用装着具。
【請求項１７】
前記中敷きの第２空間は、中敷きに施したステッチにより複数に区分けされていると共に、区分けされた各空間が連通していることを特徴とする請求項１４に記載の足用装着具。
【請求項１８】
前記中敷きの区分けされた各空間のうち、足裏の土踏まずに当たる空間に充填される極小のビーズの充填量とその他の空間に充填される極小のビーズの充填量とを変え、足裏の土踏まずに当たる空間は、他の空間よりも極小のビーズが多めに充填されてビーズのボリュームを変えていることを特徴とする請求項１７に記載の足用装着具。
【請求項１９】
前記極小のビーズは、直径が０．５ｍｍ〜１．０ｍｍの発泡ポリスチレンから成ることを特徴とする請求項１４、請求項１５、請求項１６又は請求項１８に記載の足用装着具。
【請求項２０】
前記中敷きの表生地は、伸縮性を有するストレッチニット生地から形成され、また、中敷きの裏生地は、立体編みのメッシュ生地から形成されていることを特徴とする請求項１４又は請求項１５に記載の足用装着具。
【請求項２１】
前記足用装着具は、足の下腿部に巻き付け状態で装着され、内方に保温性を有する極小のビーズが充填された袋体を更に備え、前記袋体の両側縁部には、袋体の両側縁部を連結可能にする連結手段が設けられていることを特徴とする請求項１に記載の足用装着具。
【請求項２２】
前記袋体の第３空間は、袋体に施したステッチにより下腿部に沿って複数に区分けされていると共に、区分けされた各空間が連通していることを特徴とする請求項２１に記載の足用装着具。
【請求項２３】
前記袋体の区分けされた各空間のうち、袋体の中央側に位置する空間に充填される極小のビーズの充填量と袋体の両側の空間に充填される極小のビーズの充填量とを変え、袋体の中央側に位置する空間は、袋体の両側に位置する空間よりも極小のビーズが多めに充填されてビーズのボリュームを変えていることを特徴とする請求項２２に記載の足用装着具。
【請求項２４】
前記極小のビーズは、直径が０．５ｍｍ〜１．５ｍｍの発泡ポリスチレンから成ることを特徴とする請求項２１又は請求項２３に記載の足用装着具。
【請求項２５】
前記袋体は、伸縮性のある生地により形成されていることを特徴とする請求項２１、請求項２２又は請求項２３に記載の足用装着具。
【請求項２６】
前記袋体は、ポリウレタン繊維及びポリエステル繊維から成るストレッチニット生地から形成されていることを特徴とする請求項２５に記載の足用装着具。
【請求項２７】
前記連結手段は、袋体の一方の側縁部に設けた雌部材と他方の側縁部に設けられて前記雌部材に着脱自在に連結される雄部材とを備えた差込み式バックルにより形成されており、袋体の両側縁部に複数設けられていることを特徴とする請求項２１に記載の足用装着具。
【請求項２８】
前記差込み式バックルの雌部材及び雄部材は、袋体の両側縁部にそれぞれバンドを介して取り付けられており、雌部材及び雄部材の何れか一方又は両方がバンドに移動調整自在に取り付けられていることを特徴とする請求項２７に記載の足用装着具。
【考案の詳細な説明】
【技術分野】
【０００１】
本考案は、室内履きとして使用したり、就寝時に使用したり、或いは、飛行機やバス等の乗り物による長時間の移動時等に使用したりする足用装着具に係り、特に、室内での活動時や就寝時等に足首から下と足の下腿部に装着し、保温性を高めて足湯効果が得られると共に、室内での活動時においては姿勢矯正効果が得られ、しかも、マッサージ効果が得られて足の浮腫みや疲れ、だるさ等を解消することができる足用装着具に関するものである。
【背景技術】
【０００２】
従来、室内履きとしては、脱いだり履いたりする動作を行い易いスリッパやサンダルが一般的に使用されている（例えば、特許文献１及び特許文献２参照）。
【０００３】
しかし、スリッパやサンダルは、歩くときに脱げないようにして歩かなければならず、無意識のうちに足に力を入れて歩くことになり、長時間着用した場合には、足を痛め易いと言う問題があった。特に、階段では歩き難くて危険を伴うことになる。しかも、スリッパやサンダルは、保温性や防寒性が低く、冬季に履いた場合には、足が冷えて体調を崩すと言う問題もあった。
【０００４】
また、室内履きとして、スリッパやサンダルの他に足首から下を包むような形の室内履きの履物も知られている（例えば、特許文献３参照）。
【０００５】
前記履物は、足裏を支える足底部と、足底部の周縁から立ち上がって足の爪先部、甲部、内側面、外側面及び踵部を覆うアッパー部とを備えており、履いたときに足首から下を包み込むようになっている。その結果、スリッパやサンダルに比較して歩き易く、保温性や防寒性に優れている。
【０００６】
しかし、前記履物は、アッパー部が布材のような柔軟性のある厚手の生地により形成されているため、保温性や防寒性が完全ではなく、冬季に履いた場合には、足が冷えてしまうと言う問題があった。
【先行技術文献】
【特許文献】
【０００７】
【特許文献１】実用新案登録第３００１４６２号公報
【特許文献２】実用新案登録第３０１５４６６号公報
【特許文献３】実用新案登録第３１５７２６４号公報
【考案の概要】
【考案が解決しようとする課題】
【０００８】
本考案は、このような問題点に鑑みて為されたものであり、その目的は、保温性を高めて足湯効果が得られると共に、室内での活動時においては姿勢矯正効果が得られ、しかも、マッサージ効果が得られて足の浮腫みや疲れ、だるさ等を解消することができる足用装着具を提供することにある。
【課題を解決するための手段】
【０００９】
上記目的を達成するために、本考案に係る足用装着具は、足裏を支える足底部と、前記足底部の周縁から立ち上がり、少なくとも足の爪先部、甲部及び踵部を覆うと共に、上方が開放された履き口を形成したアッパー部とから成る本体を備え、足首から下に装着される足用装着具であって、前記本体のアッパー部は、全体が二重壁構造に形成されて第１空間を有すると共に、当該第１空間に保温性を有する極小のビーズが充填されていることに特徴がある。
【００１０】
前記アッパーの第１空間は、アッパー部に施したステッチにより複数に区分けされていると共に、区分けされた各空間が連通していることが好ましい。
【００１１】
前記アッパー部の両側面部に、踝側から爪先側にかけて紐部材を配設し、前記紐部材は、アッパー部の爪先側に位置する先端部がアッパー部に固定されていると共に、踝側に位置する基端部を引っ張れるようになっており、紐部材の基端部を引っ張ることによって、アッパー部及び足底部の爪先部を床面から浮かせるようにすることが好ましい。
【００１２】
前記アッパー部の両側面部に、踝側から爪先側にかけてステッチを平行状に施して筒状空間を形成し、当該筒状空間に紐部材を通すことが好ましい。
【００１３】
前記紐部材は、ゴム紐から形成されており、紐部材の基端部には、紐部材の締め付け具合を調節するストッパー部材が取り付けられていることが好ましい。
【００１４】
前記極小のビーズは、直径が０．５ｍｍ〜１．０ｍｍの発泡ポリスチレンから成ることが好ましい。
【００１５】
前記アッパー部は、伸縮性のある生地により形成されていることが好ましい。
【００１６】
前記アッパー部は、ポリウレタン繊維及びポリエステル繊維から成るストレッチニット生地から形成することが好ましい。
【００１７】
前記アッパー部の履き口の周縁部に、履き口の口径を変化させる締め付け用紐部材を配設することが好ましい。
【００１８】
前記アッパー部の履き口の周縁部に、ステッチを平行状に施して筒状空間を形成し、当該筒状空間に締め付け用紐部材を通すことが好ましい。
【００１９】
前記締め付け用紐部材は、ゴム紐から形成されており、締め付け用紐部材の基端部には、締め付け用紐部材の締め付け具合を調節するストッパー部材が取り付けられていることが好ましい。
【００２０】
前記アッパー部の爪先部から履き口にかけて開閉自在なファスナーを設け、アッパー部を履き口から爪先にかけて開閉自在とすることが好ましい。
【００２１】
前記足底部の底面に、滑り止め部材を取り付けることが好ましい。
【００２２】
前記足用装着具は、足底部の上面に敷かれる交換可能な中敷きを更に備え、前記中敷きは、表生地及び裏生地の外周縁部同士を縫着して形成した第２空間を有し、当該第２空間に少なくとも保温性を有する極小のビーズが充填されていることが好ましい。
【００２３】
前記中敷きの第２空間に、保温性を有する極小のビーズの他に低反発素材から成るクッション材が充填されており、第２空間の足裏の土踏まず当たる部分に極小のビーズを充填し、第２空間のその他の部分に低反発素材から成るクッション材を充填することが好ましい。
【００２４】
前記中敷きの第２空間の足裏の土踏まず当たる部分に充填される極小のビーズは、小袋に充填されており、当該小袋を第２空間の足裏の土踏まずに当たる部分に収容することが好ましい。
【００２５】
前記中敷きの第２空間は、中敷きに施したステッチにより複数に区分けされていると共に、区分けされた各空間が連通していることが好ましい。
【００２６】
前記中敷きの区分けされた各空間のうち、足裏の土踏まずに当たる空間に充填される極小のビーズの充填量とその他の空間に充填される極小のビーズの充填量とを変え、足裏の土踏まずに当たる空間は、他の空間よりも極小のビーズが多めに充填されてビーズのボリュームを変えていることが好ましい。
【００２７】
前記極小のビーズは、直径が０．５ｍｍ〜１．０ｍｍの発泡ポリスチレンから成ることが好ましい。
【００２８】
前記中敷きの表生地は、伸縮性を有するストレッチニット生地から形成され、また、中敷きの裏生地は、立体編みのメッシュ生地から形成されていることが好ましい。
【００２９】
前記足用装着具は、足の下腿部に巻き付け状態で装着され、内方に保温性を有する極小のビーズが充填された袋体を更に備え、前記袋体の両側縁部には、袋体の両側縁部を連結可能にする連結手段が設けられていることが好ましい。
【００３０】
前記袋体の第３空間は、袋体に施したステッチにより下腿部に沿って複数に区分けされていると共に、区分けされた各空間が連通していることが好ましい。
【００３１】
前記袋体の区分けされた各空間のうち、袋体の中央側に位置する空間に充填される極小のビーズの充填量と袋体の両側の空間に充填される極小のビーズの充填量とを変え、袋体の中央側に位置する空間は、袋体の両側に位置する空間よりも極小のビーズが多めに充填されてビーズのボリュームを変えていることが好ましい。
【００３２】
前記極小のビーズは、直径が０．５ｍｍ〜１．５ｍｍの発泡ポリスチレンから成ることが好ましい。
【００３３】
前記袋体は、伸縮性のある生地により形成されていることが好ましい。
【００３４】
前記袋体は、ポリウレタン繊維及びポリエステル繊維から成るストレッチニット生地から形成することが好ましい。
【００３５】
前記連結手段は、袋体の一方の側縁部に設けた雌部材と他方の側縁部に設けられて前記雌部材に着脱自在に連結される雄部材とを備えた差込み式バックルにより形成されており、袋体の両側縁部に複数設けられていることが好ましい。
【００３６】
前記差込み式バックルの雌部材及び雄部材は、袋体の両側縁部にそれぞれバンドを介して取り付けられており、雌部材及び雄部材の何れか一方又は両方がバンドに移動調整自在に取り付けられていることが好ましい。
【考案の効果】
【００３７】
本発明に係る足用装着具は、本体のアッパー部が伸縮性を有するストレッチニット生地により二重壁構造に形成され第１空間を有し、アッパー部の第１空間に直径が０．５ｍｍ〜１．０ｍｍの発泡ポリスチレンから成る極小のビーズを充填しているため、就寝時や室内での活動時に足首から下に装着したときに、心地よい締め付け感と抜群の保温力を発揮し、足湯効果が得られる。
【００３８】
本発明に係る足用装着具は、アッパー部の両側面部に踝側から爪先側にかけて紐部材を配設し、紐部材の爪先側に位置する先端部をアッパー部に固定すると共に、紐部材の踝側に位置する基端部を引っ張れるようになっており、且つ前記紐部材の基端部に紐部材の締め付け具合を調節するストッパー部材を取り付けているため、紐部材を引っ張ることによって、爪先部を床面から浮かせることができ、高齢者が装着したときに歩行時の転倒を防止することができる。
【００３９】
本発明に係る足用装着具は、アッパー部の履き口の周縁部に履き口の口径を変化させる締め付け用紐部材を配設し、当該締め付け用紐部材に締め付け用紐部材の締め付け具合を調整するストッパー部材を取り付けているため、アッパー部の履き口を締め付けることによって、アッパー部を形成するストレッチニット生地と極小のビーズとの効果で足首を心地よく締め付けることができ、その結果、足首を温めると共に、適度に締め付けることにより血流の改善に大きな効果が得られる。しかも、足用装着具が足から脱げるのを防止することができる。
【００４０】
本発明に係る足用装着具は、アッパー部の第１空間を複数に区分けし、区分けした各空間を連通状態にしているため、アッパー部の第１空間に極小のビーズを充填する際に、一箇所の空間から極小のビーズを充填することができると共に、第１空間に充填された極小のビーズが大きく片寄るのを防止することができる。
【００４１】
本発明に係る足用装着具は、アッパー部に爪先部から履き口にかけて開閉自在なファスナーが設けられているため、健常者は勿論のこと、要介護の人にも履かせ易くなる。
【００４２】
本発明に係る足用装着具は、足底部の底面に滑り止め部材を取り付けているため、スリップによる転倒を防止することができる。
【００４３】
本発明に係る足用装着具は、本体の足底部に敷かれる第２空間を有する中敷きを更に備え、中敷きの第２空間に直径が０．５ｍｍ〜１．０ｍｍの発泡ポリスチレンから成る極小のビーズを充填しているため、室内での活動時に使用者が中敷きを踏むことで極小のビーズにより足裏が刺激され、マッサージ効果が得られて足裏の疲れを癒すことができると共に、極小のビーズが第２空間内で動くことにより使用者の重心のズレを矯正し、これにより体の歪みやズレが矯正されて姿勢矯正効果が得られる。しかも、姿勢矯正効果と足湯効果の両方が得られて血行を促進することになる。
【００４４】
本発明に係る足用装着具は、中敷きの第２空間の足裏の土踏まず当たる部分に極小のビーズを充填し、第２空間のその他の部分に低反発素材から成るクッション材を充填しているため、使用者が中敷きを踏むことでクッション材により心地よい履き心地が得られると共に、土踏まずに当たる極小のビーズがクッション材により荷重を受け難くなって中敷きの耐久性が向上することになる。
【００４５】
本発明に係る足用装着具は、中敷きの第２空間を複数に区分けし、区分けした各空間を連通状態にしているため、中敷きの第２空間に極小のビーズを充填する際に、一箇所の空間から極小のビーズを充填することができると共に、第２空間に充填された極小のビーズが大きく片寄るのを防止することができる。
【００４６】
本発明に係る足用装着具は、中敷きの表生地にストレッチニット生地を使用し、中敷きの裏生地に立体編みのメッシュ生地を使用しているため、表裏を変えて使用することにより柔らかめ、硬めの異なる感覚で着用することができる。
【００４７】
本発明に係る足用装着具は、中敷きの第２空間を複数に区分けし、中敷きの足裏の土踏まずに当たる空間に他の空間よりも極小のビーズを多めに充填し、中敷きの内側と外側とでビーズのボリュームを変えているため、室内での活動時にビーズのボリュームが多い側を内側にして本体の足底部に敷くと、土踏まずを刺激して心地よく感じ、また、ビーズのボリュームが多い側を外側にして足底部に敷くと、内転筋に荷重がかかり易くなり、運動パフォーマンスのアップや姿勢矯正に効果を発揮することができる。
【００４８】
本発明に係る足用装着具は、中敷きの表裏の生地を変えていると共に、中敷きのビーズのボリュームを内側と外側とで変えているため、中敷きの表裏を引っ繰り返して使用することにより次の４種類の着用が可能となる。
（１）柔らかめ／土踏まず刺激型
（２）硬め／土踏まず刺激型
（３）柔らかめ／内転筋荷重型
（４）硬め／内転筋荷重型
【００４９】
本発明に係る足用装着具は、中敷きを長期間使用し、中敷きに充填された極小のビーズが潰れて容積が小さくなった場合には、中敷きを交換することにより引き続き高いマッサージ効果や姿勢矯正効果が得られる。
【００５０】
本発明に係る足用装着具は、足の下腿部に巻き付け状態で装着され、内方に直径が０．５ｍｍ〜１．５ｍｍの発泡ポリスチレンから成る極小のビーズが充填された袋体を更に備えているため、本体と袋体を一緒に使用することにより脹脛から爪先までほぼ隙間なく覆うことができ、抜群の保温性を発揮し、足湯効果をより高めることができる。
【００５１】
本発明に係る足用装着具は、極小のビーズを充填した袋体を足の下腿部に巻き付け状態で装着しているため、歩いたり、動いたりすることにより脹脛をマッサージし、血行が良くなって足の浮腫みやだるさを解消することができる。特に、袋体の中央側にビーズを多めに充填し、袋体の中央側が柱構造になっているため、柱構造の中央側を脹脛に当たるように下腿部に装着すると、よりマッサージ効果が得られる。
【００５２】
本発明に係る足用装着具は、袋体の両側縁部に設けた差込み式バックルが寸法調整機能を備えているため、使用者の足の大きさに関係なく、下腿部に確実且つ良好にフィットすることになる。
【００５３】
本発明に係る足用装着具は、就寝時に袋体を足の下腿部に巻き付けた場合には、足を高くして寝ることができ、足の血行を良くし、疲労回復を促進することができると共に、就寝中に寝返りを打ったりしても足から外れることがない。
【図面の簡単な説明】
【００５４】
【図１】本考案の一実施形態に係る足用装着具を爪先側から見た状態の斜視図である。
【図２】足用装着具を踵側から見た状態の斜視図である。
【図３】足用装着具の側面図である。
【図４】足用装着具の底面図である。
【図５】足用装着具の紐部材を引っ張って爪先側を浮かせた状態の側面図である。
【図６】足用装着具のアッパー部を爪先まで開放した状態の斜視図である。
【図７】足用装着具の履き口部分の縦断端面図である。
【図８】中敷きを備えた足用装着具を示し、本体と中敷きを分けた状態の斜視図である。
【図９】本体内に中敷きを敷き、アッパー部を爪先まで開放した状態の足用装着具の斜視図である。
【図１０】中敷きを裏側から見た状態の斜視図である。
【図１１】中敷きを表側から見た状態の斜視図である。
【図１２】本体内に中敷きを敷いた足用装着具の履き口部分の縦断端面図である。
【図１３】中敷き及び袋体を備えた足用装着具の斜視図である。
【図１４】袋体を表側から見た状態の斜視図である。
【図１５】袋体を裏側から見た状態の斜視図である。
【図１６】袋体の両側縁部を差込み式バックルにより連結した状態の斜視図である。
【図１７】袋体の縦断端面図である。
【図１８】袋体を足の下腿部に装着した状態の側面図である。
【図１９】中敷きの他の例を示し、中敷を表側から見た斜視図である。
【図２０】中敷きの他の例を示し、中敷を裏側から見た斜視図である。
【考案を実施するための形態】
【００５５】
以下、本考案の一実施形態を図面に基づいて詳細に説明する。
図１〜図７は本考案の実施形態に係る足用装着具の一例を示すものであり、当該足用装着具は、足裏を支える足底部１と、前記足底部１の周縁から立ち上がり、少なくとも足の爪先部、甲部及び踵部を覆うと共に、上方が開放された履き口４を形成したアッパー部２とから成る履物形状の本体３を備えており、使用者の足首から下に装着し、保温性を高めて足湯効果が得られるようにしたものである。
【００５６】
尚、この実施形態において、足とは、足首から先の部分、下腿部及び上腿部を全て含んで足と言う。
また、足用装着具は、使用者の両足に装着するものであり、左右対称形状を呈し、同じ構造に構成されているため、以下片方の足用装着具のみについて説明する。
【００５７】
前記本体３の足底部１は、天然繊維又は化学繊維から成る厚手の生地により足裏の形と同じ形状に形成されており、使用者の体重がよく掛かる部分は厚手の生地を二重にして補強している。即ち、足底部１は、足の爪先部が当たる部分を除いて厚手の生地が二重となっている。
【００５８】
また、足底部１の底面には、図４及び図７に示す如く、ゴム製又は革製の滑り止め部材５が取り付けられている。この滑り止め部材５は、長方形状に形成されており、足底部１の底面に縫着により取り付けられている。
【００５９】
一方、前記本体３のアッパー部２は、伸縮性のある生地により形成されており、足底部１の周縁に上方へ立ち上がった状態で取り付けられ、足の爪先部、甲部及び踵部を覆うと共に、上方が開放された履き口４を備えている。
【００６０】
具体的には、アッパー部２は、ポリウレタン繊維が１０％前後、残りがポリエステル繊維から成るストレッチニット生地により形成されており、足底部１の外周縁部とアッパー部２の下端周縁部とを重ね合わせると共に、この重ね合わせ部分に帯状の布製の補強片６を被せ、重ね合わせ部分と補強片６とを縫着することにより足底部１の周縁に取り付けられている（図７参照）。
【００６１】
また、アッパー部２は、図７に示す如く、ストレッチニット生地により二重壁構造に形成されており、第１空間７を有していると共に、当該第１空間７に保温性を有する極小のビーズ８が充填されている。この極小のビーズ８は、直径が０．５ｍｍ〜１．０ｍｍの発泡ポリスチレンから成る。
【００６２】
更に、アッパー部２の第１空間７は、アッパー部２に施したステッチ９により複数に区分けされており、区分けされた各空間が連通した状態となっている。この実施形態では、アッパー部２の両側面部に踝側から爪先側にかけて複数のステッチ９を施し、アッパー部２の第１空間７を上下方向に複数に区分けし、区分けした各空間がアッパー部２の踵側及び爪先側で連通するようになっている。
【００６３】
このように、アッパー部２の第１空間７を複数に区分けし、区分けした各空間を連通状態にすると、アッパー部２の第１空間７に極小のビーズ８を充填する際に、一箇所の空間から極小のビーズ８を充填することができると共に、第１空間７に充填された極小のビーズ８が大きく片寄るのを防止することができる。
【００６４】
そして、前記アッパー部２の両側面部には、踝側から爪先側にかけて紐部材１０が配設されており、当該紐部材１０を引っ張り操作することによりアッパー部２及び足底部１の爪先部を床面から浮かせられるようになっている。
【００６５】
前記紐部材１０は、アッパー部２の両側面部に踝側から爪先側にかけてステッチ９を平行状に施して形成した筒状空間７ａ（図７参照）に挿通されており、アッパー部２の爪先側に位置する紐部材１０の先端部がアッパー部２に縫い付けられていると共に、踝側に位置する紐部材１０の基端部がアッパー部２の筒状空間７ａから外方に突出し、紐部材１０の基端部を引っ張れるようになっている。その結果、紐部材１０は、その基端部を引っ張ることによって、アッパー部２及び足底部１の爪先部を床面から浮かせることができる。
【００６６】
また、紐部材１０は、断面形状が円形のゴム紐から形成されており、紐部材１０の基端部には、紐部材１０の締め付け具合を調節するストッパー部材１１と、紐部材１０を引っ張り易くするための引っ張り具１２とがそれぞれ取り付けられている。
【００６７】
更に、前記アッパー部２の履き口４の周縁部には、履き口４の口径を変化させる締め付け用紐部材１３が配設されている。この締め付け用紐部材１３は、アッパー部２の履き口４の周縁部にステッチ９を平行状に施して形成した筒状空間７ｂ（図７参照）に挿通されており、アッパー部２の甲側に位置する締め付け用紐部材１３の先端部がアッパー部２に縫い付けられていると共に、踝側に位置する締め付け用紐部材１３の基端部がアッパー部２の筒状空間７ｂから外方に突出し、締め付け用紐部材１３を引っ張れるようになっている。その結果、締め付け用紐部材１３は、その基端部を引っ張ることによって、アッパー部２の履き口４の口径をかえることができる。
【００６８】
前記締め付け用紐部材１３は、断面形状が円形のゴム紐から形成されており、締め付け用紐部材１３の基端部には、締め付け用紐部材１３の締め付け具合を調節するストッパー部材１１と、締め付け用紐部材１３を引っ張り易くするための引っ張り具１２とがそれぞれ取り付けられている。
【００６９】
更に、前記アッパー部２には、爪先部から履き口４にかけて開閉自在にファスナー１４が設けられており、アッパー部２を履き口４から爪先まで開閉自在としている。
【００７０】
尚、図１及び図２において、１５はアッパー部２に縫着され、紐部材１０及び締め付け用紐部材１３の先端部がアッパー部２から外れないように補強すると共に、デザイン性を高めるための飾り部材、１６はアッパー部２の踵部に縫着され、踵部の外面を補強する足底部１と同じ材質の補強部材である。
【００７１】
而して、上述した足用装着具は、使用時には足首から先の部分（足首から下に）に装着し、室内履きとして使用したり、就寝時に使用したりする。
【００７２】
この足用装着具は、本体３のアッパー部２が伸縮性を有するストレッチニット生地により二重壁構造に形成されて第１空間７を有し、当該第１空間７に直径が０．５ｍｍ〜１．０ｍｍの発泡ポリスチレンから成る極小のビーズ８を充填しているため、就寝時や室内での活動時に足首から下に装着したときには、心地よい締め付け感と抜群の保温力を発揮し、足湯効果が得られる。
【００７３】
また、足用装着具は、アッパー部２の両側面部に踝側から爪先側にかけて紐部材１０を配設し、紐部材１０の爪先側に位置する先端部をアッパー部２に固定すると共に、紐部材１０の踝側に位置する基端部を引っ張れるようになっており、且つ前記紐部材１０の基端部に紐部材１０の締め付け具合を調節するストッパー部材１１を取り付けているため、紐部材１０を引っ張ることによって、爪先部を床面から浮かせることができ、高齢者が装着したときに歩行時の転倒を防止することができる。
【００７４】
更に、足用装着具は、アッパー部２の履き口４の周縁部に履き口４の口径を変化させる締め付け用紐部材１３を配設し、当該締め付け用紐部材１３に締め付け用紐部材１３の締め付け具合を調整するストッパー部材１１を取り付けているため、アッパー部２の履き口４を締め付けることによって、アッパー部２を形成するストレッチニット生地と極小のビーズ８との効果で足首を心地よく締め付けることができ、その結果、足首を温めると共に、適度に締め付けることにより血流の改善に大きな効果が得られる。しかも、足用装着具が足から脱げるのを防止することができる。
【００７５】
更に、足用装着具は、アッパー部２に爪先部から履き口４にかけて開閉自在なファスナー１４が設けられているため、健常者は勿論のこと、要介護の人にも履かせ易くなる。
【００７６】
更に、足用装着具は、足底部１の底面に滑り止め部材５を取り付けているため、スリップによる転倒を防止することができる。
【００７７】
図８〜図１２は本考案の他の実施形態に係る足用装着具の一例を示すものであり、当該足用装着具は、足裏を支える足底部１と、前記足底部１の周縁から立ち上がり、少なくとも足の爪先部、甲部及び踵部を覆うと共に、上方が開放された履き口４を形成したアッパー部２とから成る履物形状の本体３と、本体３の足底部１の上面に敷かれる交換可能な中敷き１７とを備えており、使用者の足首から下に装着し、保温性を高めて足湯効果が得られるようにし、また、室内での活動時においては姿勢矯正効果が得られると共に、マッサージ効果が得られるようにしたものである。
【００７８】
前記足用装着具は、本体３に中敷き１７を追加したものであり、足底部１及びアッパー部２から成る本体３は図１〜図７に示す足底部１及びアッパー部２から成る本体３と同じ形状及び同じ構造に構成されているため、ここではその詳細な説明を省略する。尚、図１〜図７に示す足用装着具と同じ部位・部材には、同一の参照番号を付し、その詳細な説明を省略する。
【００７９】
前記中敷き１７は、図１２に示す如く、足裏の形と同じ形状に形成された表生地及び裏生地の外周縁部同士を縫着することにより形成されており、表生地と裏生地との間に第２空間１８が形成され、当該第２空間１８に保温性を有する極小のビーズ８が充填されている。この極小のビーズ８は、直径が０．５ｍｍ〜１．０ｍｍの発泡ポリスチレンから成る。
【００８０】
前記中敷き１７の表生地は、図１１に示す如く、ポリウレタン繊維が１０％前後、残りがポリエステル繊維から成る伸縮性を有するストレッチニット生地により形成され、また、中敷き１７の裏生地は、図１０に示す如く、天然性又は化学繊維から成る立体編みのメッシュ生地から形成されている。
【００８１】
更に、中敷き１７の第２空間１８は、中敷き１７に施したステッチ９′により複数に区分けされており、区分けされた各空間が連通した状態となっている。この実施形態では、中敷き１７の先端部に幅方向に沿って複数のステッチ９′を施し、中敷き１７の先端部側の第２空間１８を前後方向に複数に区分けし、また、中敷き１７の中央部から基端部にかけて中敷き１７の長手方向に沿うステッチ９′を施し、中敷き１７の中央部から基端部の第２空間１８を幅方向に区分けし、区分けした各空間が中敷き１７の外周縁部で連通するようになっている。
【００８２】
このように、中敷き１７の第２空間１８を複数に区分けし、区分けした各空間を連通状態にすると、中敷き１７の第２空間１８に極小のビーズ８を充填する際に、一箇所の空間から極小のビーズ８を充填することができると共に、第２空間１８に充填された極小のビーズ８が片寄るのを防止することができる。
【００８３】
更に、中敷き１７の区分けされた各空間のうち、足裏の土踏まずに当たる空間に充填される極小のビーズ８の充填量とその他の空間に充填される極小のビーズ８の充填量とを変え、足裏の土踏まずに当たる空間は、他の空間よりも極小のビーズ８が多めに充填されてボリュームを変えている。
【００８４】
上述した図８〜図１２に示す足用装着具は、図１〜図７に示す足用装着具と同様の作用効果を奏することができる。
【００８５】
特に、この足用装着具は、極小のビーズ８を充填した中敷き１７を備えているため、室内での活動時に使用者が中敷き１７を踏むことで極小のビーズ８により足裏が刺激され、マッサージ効果が得られて足裏の疲れを癒すことができると共に、極小のビーズ８が第２空間１８内で動くことにより使用者の重心のズレを矯正し、これにより体の歪みやズレが矯正されて姿勢矯正効果が得られる。しかも、姿勢矯正効果と足湯効果の両方が得られて血行を促進することになる。
【００８６】
また、この足用装着具は、中敷き１７の表生地にストレッチニット生地を使用し、中敷き１７の裏生地に立体編みのメッシュ生地を使用しているため、表裏を変えて使用することにより柔らかめ、硬めの異なる感覚で着用できる。
【００８７】
更に、この足用装着具は、足裏の土踏まずに当たる第２空間１８に他の第２空間１８よりも極小のビーズ８を多めに充填し、中敷き１７の内側と外側とでビーズ８のボリュームを変えているため、ビーズ８のボリュームが多い側を内側にして足底部１に敷くと、土踏まずを刺激して心地よく感じ、また、ビーズ８のボリュームが多い側を外側にして足底部１に敷くと、内転筋に荷重がかかり易くなり、運動パフォーマンスのアップや姿勢矯正に効果を発揮することができる。
【００８８】
更に、この足用装着具は、中敷き１７の表裏の生地を変えていると共に、ビーズ８のボリュームを内側と外側とで変えているため、中敷き１７の表裏を引っ繰り返して使用することにより次の４種類の着用が可能となる。
（１）柔らかめ／土踏まず刺激型
（２）硬め／土踏まず刺激型
（３）柔らかめ／内転筋荷重型
（４）硬め／内転筋荷重型
【００８９】
更に、この足用装着具は、中敷き１７を長期間使用し、中敷き１７に充填された極小のビーズ８が潰れて容積が小さくなった場合には、中敷き１７を交換することにより引き続き高いマッサージ効果や姿勢矯正効果が得られる。
【００９０】
図１３〜図１８は本考案の更に他の実施形態に係る足用装着具の一例を示すものであり、当該足用装着具は、足裏を支える足底部１と、前記足底部１の周縁から立ち上がり、少なくとも足の爪先部、甲部及び踵部を覆うと共に、上方が開放された履き口４を形成したアッパー部２とから成る履物形状の本体３と、本体３の足底部１の上面に敷かれる交換可能な中敷き１７と、足の下腿部に巻き付け状態で装着され、内方に保温性を有する極小のビーズ８が充填された袋体１９とを備えており、使用者の足首から下と下腿部とに装着し、保温性をより高めて大きな足湯効果が得られるようにし、また、室内での活動時においては姿勢矯正効果が得られると共に、大きなマッサージ効果が得られるようにしたものである。
【００９１】
前記足用装着具は、本体３及び中敷き１７に袋体１９を追加したものであり、足底部１及びアッパー部２から成る本体３と中敷き１７とは図１〜図１２に示す本体３及び中敷き１７と同じ形状及び同じ構造に構成されているため、ここではその詳細な説明を省略する。尚、図１〜図１２に示す足用装着具と同じ部位・部材には、同一の参照番号を付し、その詳細な説明を省略する。
【００９２】
前記袋体１９は、内方に保温性を有する極小のビーズ８が充填され、足の下腿部に巻き付けられるものであり、袋体１９の両側縁部には、袋体１９の両側縁部を連結可能にする連結手段（この実施形態では、差込み式バックル２１）が設けられている。
【００９３】
具体的には、袋体１９は、ポリウレタン繊維が１０％前後、残りがポリエステル繊維から成る伸縮性を有するストレッチニット生地により縦長の略扇状で且つ袋状に形成されており、袋体１９の第３空間２０は、袋体１９に施したステッチ９″により下腿部に沿って複数に区分けされていると共に、区分けされた各空間が連通している。
【００９４】
このように、袋体１９の第３空間２０を複数に区分けし、区分けした各第３空間２０を連通状態にすると、袋体１９の第３空間２０に極小のビーズ８を充填する際に、一箇所の空間から極小のビーズ８を充填することができると共に、第３空間２０に充填された極小のビーズ８が片寄るのを防止することができる。
【００９５】
また、袋体１９の区分けされた各空間のうち、袋体１９の中央側に位置する空間に充填される極小のビーズ８の充填量と袋体１９の両側の空間に充填される極小のビーズ８の充填量とを変え、袋体１９の中央側に位置する空間は、袋体１９の両側に位置する空間よりも極小のビーズ８が多めに充填されてビーズ８のボリュームを変えている。この極小のビーズ８は、直径が０．５ｍｍ〜１．５ｍｍの発泡ポリスチレンから成る。
【００９６】
前記連結手段は、袋体１９の一方の側縁部にバンド２２を介して取り付けた複数の雌部材２１ａと袋体１９の他方の側縁部にバンド２２を介して取り付けられて前記雌部材２１ａに着脱自在に連結される雄部材２１ｂとを備えた差込み式バックル２１により形成されており、袋体１９の両側縁部に複数設けられている。
【００９７】
前記差込み式バックル２１の雄部材２１ｂは、バンド２２に移動調整自在に取り付けられており、雄部材２１ｂを移動調整することにより袋体１９の締め付け具合を調整できるようになっている。この実施形態においては、雄部材２１ｂをバンド２２に移動調整自在に取り付けたが、他の実施形態においては、雌部材２１ａをバンド２２に移動調整自在に取り付けても良く、或いは、雌部材２１ａ及び雄部材２１ｂの両方をバンド２２に移動調整自在に取り付けても良い。
【００９８】
尚、図１３において、１５′は袋１９に縫着され、バンド２２が袋体１９から外れないように補強すると共に、デザイン性を高めるための飾り部材である。
【００９９】
而して、前記足用装着具は、袋体１９を足の下腿部に巻き付け、各差込み式バックル２１の雌部材２１ａと雄部材２１ｂとをそれぞれ連結することにより足の下腿部に巻き付け状態で装着することができる（図１８参照）。
【０１００】
上述した図１３〜図１８に示す足用装着具は、図１〜図に示す足用装着具と同様の作用効果を奏することができる。
【０１０１】
特に、この足用装着具は、極小のビーズ８を充填した袋体１９を使用者の足の下腿部に巻き付け状態で装着しているため、脹脛から爪先までほぼ隙間なく覆うことができ、抜群の保温性を発揮し、足湯効果をより高めることができる。
【０１０２】
また、この足用装着具は、極小のビーズ８を充填した袋体１９を足の下腿部に巻き付け状態で装着しているため、歩いたり、動いたりすることにより脹脛をマッサージし、血行が良くなって足の浮腫みやだるさを解消することができる。特に、袋体１９の中央側にビーズ８を多めに充填し、袋体１９の中央側が柱構造になっているため、柱構造の中央側を脹脛に当たるように下腿部に装着すると、よりマッサージ効果が得られる。
【０１０３】
更に、この足用装着具は、袋体１９の両側縁部に設けた差込み式バックル２１が寸法調整機能を備えているため、使用者の足の大きさに関係なく、下腿部に確実且つ良好にフィットすることになる。
【０１０４】
更に、この足用装着具は、就寝時に袋体１９を足の下腿部に巻き付けた場合には、足を高くして寝ることができ、足の血行を良くし、疲労回復を促進することができると共に、就寝中に寝返りを打ったりしても足から外れることがない。
【０１０５】
図１９及び図２０は中敷き１７の変形例を示し、当該中敷き１７は、足裏の形と同じ形状に形成された表生地及び裏生地の外周縁部同士を縫着することにより形成されており、表生地と裏生地との間に第２空間１８が形成され、当該第２空間１８に保温性を有する極小のビーズ８と低反発素材から成るクッション材（図示省略）とが充填されている。
【０１０６】
前記極小のビーズ８は、直径が０．５ｍｍ〜１．０ｍｍの発泡ポリスチレンから成り、布製又は合成樹脂製シートの小袋（図示省略）に充填されて中敷き１７の第２空間１８の足裏の土踏まずに当たる部分に収容されている。
【０１０７】
尚、極小のビーズ８は、小袋に充填せずにそのままの状態で中敷き１７の第２空間１８に直接充填するようにしても良い。この場合、中敷き１７にステッチ９′を施して第２空間１８の一部を区分けし、区分けした空間に極小のビーズ８を充填する。このようにすれば、極小のビーズ８とクッション材とが混ざるのを防止することができる。
また、極小のビーズ８は、中敷き１７の足裏の土踏まずに当たる部分の片側面（表側面又は裏側面）のみに充填しても良く、或いは、中敷き１７の足裏の土踏まずに当たる部分の全部に充填しても良い。
【０１０８】
一方、クッション材（図示省略）は、テンピュール（登録商標）等の低反発素材により形成された小片から成り、中敷き１７の第２空間１８に充填されている。
【０１０９】
前記中敷き１７の表生地は、ポリウレタン繊維が１０％前後、残りがポリエステル繊維から成る伸縮性を有するストレッチニット生地により形成され、また、中敷き１７の裏生地は、天然性又は化学繊維から成る立体編みのメッシュ生地から形成されている。
【０１１０】
前記中敷き１７を備えた足用装着具は、中敷き１７の第２空間１８の足裏の土踏まず当たる部分に極小のビーズ８を充填し、第２空間１７のその他の部分に低反発素材から成るクッション材を充填しているため、使用者が中敷き１７を踏むことでクッション材により心地よい履き心地が得られると共に、土踏まずに当たる極小のビーズ８がクッション材により荷重を受け難くなって中敷き１７の耐久性が向上することになる。
【０１１１】
尚、上記の各実施形態においては、本体３のアッパー部２に形成した第１空間７に極小のビーズ８を充填したが、他の実施形態においては、図示していないが、本体３の第１空間７の極小のビーズ８を省略しても良い。
【０１１２】
即ち、前記本体３は、図示していないが、足裏を支える足底部１と、足底部１の周縁から立ち上がり、少なくとも足の爪先部、甲部及び踵部を覆うと共に、上方が開放された履き口４を形成したアッパー部２とから成る履物形状に形成されており、前記アッパー部２の両側面部には、踝側から爪先側にかけて紐部材１０が配設され、当該紐部材１０を引っ張り操作することによりアッパー部２及び足底部１の爪先部を床面から浮かせられるようになっている。
【０１１３】
また、前記本体３には、履き口４の口径を変化させる締め付け用紐部材１３と、アッパー部２を爪先部から履き口４にかけて開閉自在にするファスナー１４とが設けられている。
尚、前記本体３は、極小のビーズ８を省略したこと以外は、図１〜図７に示す本体３と同じ構造に構成されている。
【符号の説明】
【０１１４】
１は足底部、２はアッパー部、３は本体、４は履き口、５は滑り止め部材、６は帯状の補強片、７は第１空間、７ａは紐部材の筒状空間、７ｂは締め付け用紐部材の筒状空間、８はビーズ、９はアッパー部のステッチ、９′は中敷きのステッチ、９″は袋体のステッチ、１０は紐部材、１１はストッパー部材、１２は引っ張り具、１３は締め付け用紐部材、１４はファスナー、１５は本体の飾り部材、１５′は袋体の飾り部材、１６は補強部材、１７は中敷き、１８は第２空間、１９は袋体、２０は第３空間、２１は差込み式バックル、２１ａは雌部材、２１ｂは雄部材、２２はバンド。
【図７】
0003200664.tif 000003
【図１２】
0003200664.tif 000004
【図１７】
0003200664.tif 000005
【図１】
0003200664.tif 000006
【図２】
0003200664.tif 000007
【図３】
0003200664.tif 000008
【図４】
0003200664.tif 000009
【図５】
0003200664.tif 000010
【図６】
0003200664.tif 000011
【図８】
0003200664.tif 000012
【図９】
0003200664.tif 000013
【図１０】
0003200664.tif 000014
【図１１】
0003200664.tif 000015
【図１３】
0003200664.tif 000016
【図１４】
0003200664.tif 000017
【図１５】
0003200664.tif 000018
【図１６】
0003200664.tif 000019
【図１８】
0003200664.tif 000020
【図１９】
0003200664.tif 000021
【図２０】
0003200664.tif 000022